(57)【要約】  【課題】  本発明は、特許文献１に開示された方法を更に発展させ、洗い場と浴槽載置場とで段差がない状況においても、工事期間を短縮し、容易に設置することができる改装用防水床を提供することを目的とする。  【解決手段】  本発明は、略方形の洗い場と、この洗い場の一辺に設けた側板と、前記洗い場裏面に固定した脚を備えた改装用防水床である。また、洗い場上面から側板の下端までの長さが、洗い場上面から洗い場裏面に固定した脚の底部までの長さより短い改装用防水床である。更に、側板が、この側板内面に固着されるスカートを備えた改装用防水床である。  【選択図】  図４
2006312858.tif 000002
【特許請求の範囲】
【請求項１】
略方形の洗い場と、この洗い場の一辺に設けた側板と、前記洗い場裏面に固定した脚を備えた改装用防水床。
【請求項２】
請求項１において、洗い場上面から側板の下端までの長さが、洗い場上面から洗い場裏面に固定した脚の底部までの長さより短い改装用防水床。
【請求項３】
請求項１又は２において、側板が、この側板内面に固着されるスカートを備えた改装用防水床。
【請求項４】
請求項３において、側板内面に固着した状態のスカート底部の高さが、洗い場裏面に固定した脚底部より高くなる改装用防水床。
【請求項５】
請求項３又は４において、スカートが、このスカートを固定するスカート固定部材を備えた改装用防水床。
【請求項６】
請求項１乃至５のいずれかにおいて、洗い場裏面に補強板を備えた改装用防水床。
【請求項７】
請求項１乃至６のいずれかにおいて、洗い場が平面視で広さ調整用縁部を有する改装用防水床。
【発明の詳細な説明】
【技術分野】
【０００１】
本発明は、改装用防水床に関し、特に、マンションや一般住宅等に既設されている浴室を改装する際に、好適に使用できる改装用防水床に関する。
【背景技術】
【０００２】
マンション、一般住宅等に、在来工法で設置された浴室の例を図７及び図８に示した。在来工法では、コンクリート製の建築物躯体１５の上に防水層１４を形成するとともに、この防水層１４の上にモルタル１３の層を形成している。そして、浴室内には、一方に浴槽載置場を、他方に洗い場を形成する。浴槽載置場には、浴槽９と風呂釜１０とを設置し、洗い場にはスノコ１１等を設置し使用している。
【０００３】
在来工法の浴室は、使用期間が長期になってくると、室内の高温多湿が誘因となり、洗い場に設置したスノコ１１が腐食したり、床面、壁面及び天井面に除去困難な黒カビ等が発生し、外観不良やカビ臭等の問題が生じやすかった。
また、浴室内は、洗い場高さが低いために、脱衣場から洗場及び洗場から浴槽に段差を生じ、使用者の高齢化に伴い脱衣場から洗い場、洗い場から浴槽への移動が困難となる場合がある。
【０００４】
そこで、このような問題が生じた場合は、浴室床の回収が行われていた。従来の浴室床回収を示す図９及び図１０を用いて具体的に説明すると、改修工事は先ず水道やガスの元栓を止め、浴室内の湯水栓、ガス栓、換気扇等の末端機器を外し、排水口、点検口、ドア、額縁、沓摺り等をも外し、床面、腰壁のモルタル等のはつり作業（削る作業）を行った後、再び、床面、腰壁、沓摺り裏面、排水口周囲の防水工事を行い、洗場にブロック等を敷き並べまたは軽量コンクリートを打設して嵩上げし、その上にモルタルとともにタイルを貼り、腰壁にタイルを貼り、額縁、沓摺り、天井及びドアを取り付け、浴室を復元させる方法である。洗い場床１２を嵩上げすることにより、脱衣室から洗い場、洗い場から浴槽への移動が容易になる。しかし、この方法は、作業が煩雑で改修に時間がかかり、その間（約１週間）は入浴できず、使用者に不便を強いることとなる。
【０００５】
別の方法は、特許文献１に開示された方法で、既設浴室の洗場床の形状に適合するように成形された改装用防水床を用いて、浴室を改装する方法である。この方法は、予め成形された改装用防水床を用いることにより、手間と時間が在来の改修方法に比べてかなり省くことができた。
【特許文献１】特開２０００−１１６５６３
【発明の開示】
【発明が解決しようとする課題】
【０００６】
しかしながら、特許文献１に記載される方法は、洗い場が既に一段高く嵩上げされた状態のものの改装方法であり、洗い場と浴槽載置場とが段差のない場合の対応は困難である。
【０００７】
本発明は、特許文献１に開示された方法を更に発展させ、洗い場と浴槽載置場とで段差がない状況においても、工事期間を短縮し、容易に設置することができる改装用防水床を提供することを目的とする。
【課題を解決するための手段】
【０００８】
（１）本発明は、略方形の洗い場と、この洗い場の一辺に設けた側板と、前記洗い場裏面に固定した脚を備えた改装用防水床である。
（２）項（１）において、洗い場上面から側板の下端までの長さが、洗い場上面から洗い場裏面に固定した脚の底部までの長さより短い改装用防水床。
（３）項（１）又は（２）において、側板が、この側板内面に固着されるスカートを備えた改装用防水床。
（４）項（３）において、側板内面に固着した状態のスカート底部の高さが、洗い場裏面に固定した脚底部より高くなる改装用防水床。
（５）項（３）又は（４）において、スカートが、このスカートを固定するスカート固定部材を備えた改装用防水床。
（６）項（１）乃至（５）のいずれかにおいて、洗い場裏面に補強板を備えた改装用防水床。
（７）項（１）乃至（６）のいずれかにおいて、洗い場が平面視で広さ調整用縁部を有する改装用防水床。
【発明の効果】
【０００９】
本発明の改装用防水床は、洗い場とその一辺に設けた側板と洗い場裏面に脚を備えていることから、洗い場側と浴槽載置側に段差の無い既存浴室に設置する場合であっても、改装用防水床の側板と洗い場底面の脚とを、脱衣室床面と高さに合わせ調整して設置することにより、容易に洗い場側を嵩上げすることができ、脱衣室から洗い場、洗い場から浴槽への移動が容易になる。
【００１０】
また、洗い場上面から側板の下端までの長さを、洗い場上面から洗い場裏面に固定した脚の底部までの長さより短くした場合には、防水床の高さ調整のために防水床を持ち上げたり、降ろしたりせずに、側板の下端と既設浴室床面との隙間より、洗い場裏面に固定した脚を容易に調節でき、脚固定用の接着剤塗布も短時間で行うことができる。
【００１１】
脚固定後、スカートを側板内面に固着する場合は、側板の下端と既設浴室床面との隙間を塞ぐことができ、さらに側板内面に固着したスカート下端が既設浴室床面より高くすることで、スカートの下端に充分に防水材を充填でき、防水床下への水の侵入を防ぐことができる。
また、スカート固定材を用いた場合には、スカートがより強固に固定されることで、洗い場の上に人が乗って洗い場が撓み、この撓みによりスカートが引っ張られることにより生じるスカートの動きが抑えられ、防水切れを防ぐことができる。
【００１２】
洗い場裏面に補強板を備える場合は、洗い場がより強固になり、洗い場裏面に固定する脚を、その補強板のどの部分にも取付けることができる。
【００１３】
また、平面視で調整用縁部がある洗い場は、その外周部を適宜に切り落とすることで、防水床の大きさを調整でき、既設浴室の大きさの変動に対応できる。
【発明を実施するための最良の形態】
【００１４】
本発明に用いる改装用防水床の洗い場は、洗い場部に既設排水口がある場合には、既設排水口を囲むような切欠き部を設け、その切欠き部を覆う蓋を有する。
また、洗い場の一辺に設けた側板は、その側板を浴槽載置側に向けて防水床を既設浴室に設置すると、洗い場側嵩上げ時に浴槽載置側に向かって開く開口を塞ぐことができ、さらには既設床面と、側板底面との間にコーキング剤等を塗布することにより、防水床下への水の浸入を防ぐことができる。洗い場裏面に固定した脚は、高さ調整が容易に行えるボルトとしてもよく、ボルトを調節することにより、既設浴槽上面や脱衣室の床面に合わせ使いやすい高さに載置できる。
【００１５】
本発明に用いるスカートは、防水床を設置した時の側板下端と既設浴室床面との隙間より大きく形成されていて、既設浴室床面の勾配または不陸等に合わせ切断し防水床の側板に固着できるものを用いることができる。
また、スカートと側板とを固着する際に、防水シート等を介して固着することにより、固着部分の防水性を上げることができる。更に、側板下端にスカートに沿ってコーキング剤等を塗布することにより、より防水性を上げ、防水床下への水の浸入を防ぐことができる。
【００１６】
本発明に用いるスカート固定部材は、少なくともスカートと既設浴室床面との取付部を備えており、既設床面にビス、ボルト、接着剤等で固定できる。またスカートと固定部材を固定する場合は、ビス、ボルト、接着剤等で固定するが、好ましくは、スカートと固定部材の間に防水テープ等を介して固定することにより毛細管現象による水の吸い上げを防ぐことが好ましい。
【００１７】
本発明の改装用防水床（洗い場及び側板）及びスカートの成形材料としては、ノルボルネン系モノマーを反応射出成形して得られるポリノルボルネン系樹脂、シート状の不飽和ポリエステル樹脂成形材料（ＳＭＣともいう）、繊維強化材を配合した熱硬化性プラスチック（ＦＲＰともいう）、熱硬化性樹脂発泡体をガラス繊維で強化したもの、熱硬化性樹脂発泡体をＦＲＰ層でサンドイッチしたもの等が用いられ、耐水性及び機械強度の優れた成形品が得られる材料が好ましい。
【００１８】
本発明の改装用防水床裏面に固定される脚、及び、スカート固定部材は、既設浴室床面に立設できるものであれば特に限定されるものでなく、合成樹脂製のもの、木製のもの、金属製のもの等を用いることができる。但し、木製のものを使用する場合は、防腐処理を施したもの、金属製のものを使用する場合は、ステンレス等の錆の発生がないものか、鉄等の錆が発生するものであっても表面に防錆処理を施したものを用いることが望ましい。
【実施例】
【００１９】
以下、図面を用いて、本発明の実施例について説明する。
図１は、本発明の一例の改装用防水床１の斜視図である。本実施例の改装用防水床１は、略方形の洗い場１ａと、洗い場１ａの一辺に設けた側板１ｂと、洗い場１ａ裏面に取付けられた補強板２に固定された脚１ｃとを有している。また、洗い場１ａの側板１ｂが設けられた側に、既設排水口接続部１ｄが設けられている。
【００２０】
図２は、本発明の一例のスカート固定部材の斜視図である。スカート固定部材３は、洗い場に設けられた既設排水口接続部に合う位置に、既設排水口固定部３ａを有している。既設排水口固定部３ａは、洗い場の既設排水口接続部の形状に合わせ切断し、ビス等で接続して形成されたものでも、一体に形成されたものでもよい。本実施例では、既設排水口固定部３ａと、スカート固定部３ｂとを、ビス３ｃにより固定したものを使用している。
【００２１】
図３は、本発明の一例のスカートの斜視図である。スカート４は、洗い場に設けられた既設排水口接続部に合う位置に、既設排水口接続部４ａを有している。既設排水口接続部４ａは一体で形成されたものが好ましいが、洗い場の既設排水口接続部の形状に合わせ切断し構成されたものでもよい。
【００２２】
図４は、本発明の一例の改装用防水床を浴室に設置した部分断面詳細図である。改装用防水床１を設置するには、まず防水床１を既設浴室床面１６に載置し、洗い場１ａ裏面に補強板２を介して固定された脚１ｃ（ボルト）を側板１ｂの下端部と既設浴室床面１６との隙間（Ｔ１）を調整する。この隙間は、既設浴槽のまたぎ高さと、脱衣室から洗い場１ａへの移動等を考慮したもので、防水床１を設置したまま、Ｔ１の隙間から手を入れて、容易に調整できる。
また、洗い場１ａの側板１ｂを設ける辺と対向する辺から、側板１ｂを設ける辺に向かい、１／３０乃至１／５０になるように下り勾配をつけるように脚１ｃの高さを調整して防水床１を設置することにより、洗い場１ａ表面の水が滞留することなく排水できる。脚１ｃの高さ調整後は、脚１ｃの既設浴室床面１６設置部に接着剤６を塗布することにより脚１ｃを固定する。
【００２３】
脚１ｃの接着固定を終えた後は、スカート固定部材３を、防水床１の側板１ｂ前面より１０ｍｍ程後退した位置に配置し、スカート４が側板１ｂの内面に挿入できるスペースを確保して接着剤６にて固定する。
スカート４は、側板１ｂの下端と既設浴室床面１６との高さに合わせ切断する。スカート４を切断する際には、側板１ｂに固着した状態で側板１ｂとスカート４上端が５ｍｍ〜１０ｍｍ程度重なるように、またスカート４下端と既設浴室床面１６との間が、５ｍｍから１０ｍｍ程度開くように切断する。
スカート４と側板１ｂの重なる部分と、スカート４とスカート固定部材３の接着部分とには、防水テープ５を貼り付け、スカート４上部が側板１ｂに５ｍｍから１０ｍｍ程度重なるように、またスカート４下端と既設浴室床面１６と５ｍｍから１０ｍｍ程度隙間が開くようにスカート４を挿入し、ビス７にて固定する。
その後、側板１ｂ下端、及び、スカート４下端に沿ってシリコンコーキング８を塗布する。
【００２４】
上記のように側板１ｂ下端にスカート４に沿ってシリコンコーキング８を塗布し、スカート４下端と既設浴室床面１６との隙間にＦＲＰ防水を充填させることにより防水床１下への水の浸入を防ぐことができる。さらに万が一シリコンコーキング又はＦＲＰ防水が切れても、側板１ｂとスカート４の重なり部とスカート固定部材３のスカート固定部３ｂに防水テープが貼られていることから、水の浸入を防ぐことができる。
【００２５】
図５は、図１乃至図４にて説明した防水床を設置した浴室の平面図、図６は、図５の縦断面図である。防水床１は、排水口１ｅを塞ぐことなく、既存のまま使用することができ、更に、高さ調整を行う際に、洗い場１ａを水平とせずに、１／３０乃至１／５０の勾配を設けたことで、排水性を向上させている。尚、排水口１ｅの上面には、排水口１ｅが直接使用者の目に触れないように目皿を配置している。
【００２６】
図１１は、本発明に用いるスカートの一例を示す斜視図である。スカート１７は、洗い場に設けられた既設排水口接続部に合う位置に、スカート既設排水口接続部１７ａを有している。スカート既設排水口接続部１７ａは、一体で形成されたものが好ましいが、洗い場の既設排水口接続部の形状に合わせ切断し構成されたものでもよい。
【００２７】
図１２は、本発明の一例の改装用防水床を浴室に設置した部分断面詳細図である。改装用防水床１を設置するには、まず防水床１を既設浴室床面１６に置き、洗い場１ａ底部に固定された脚（ボルト）１ｃの高さを側板１ｂの下端部と既設浴室床面１６との隙間から調整する。この際、既設の浴槽のまたぎ高さと脱衣室から洗い場１ａへの移動等を考慮した高さ調整を、防水床１を設置したまま行えるので容易に使いやすい高さに調整できる。また、洗い場１ａに設けられた側板１ｂの反対側から側板１ｂ側に１／３０乃至１／５０になるように勾配をつけるように脚１ｃの高さを調整して防水床１を設置することにより、洗い場１ａ表面の水が滞留することなく排水できる。脚１ｃの高さ調整後、防水床１を側板１ｂが上になるように起こし、浴室壁面等に立て掛けておく。
【００２８】
次に、浴槽載置側にＦＲＰ防水１９を施す。ＦＲＰ防水１９は、防水床１の下面で側板１ｂより５０〜１００ｍｍ程度中に入った位置まで施す。またそのＦＲＰ防水１９の先端部にシリコンコーキング８を塗布する。次に、そのＦＲＰ防水１９の上に防水床１の側板１ｂの先端形状をけがき、そのけがき線に合わせスカート固定部材３を、両面テープ１８等により取り付ける。また、スカート固定部材３のスカート１７固定面とは反対側の下部にシリコンコーキング８を塗布する。
【００２９】
側板１ｂの下端と、ＦＲＰ防水１９上面との高さに合わせ、スカート１７を切断する。スカート１７を切断する際は、側板１ｂに固着した状態で側板１ｂ下端とスカート１７上面が５ｍｍ程度の隙間を生じるように、且つ、スカート１７下端とＦＲＰ防水１９上面が５ｍｍ程度の隙間を生じるように切断する。次にスカート１７の上面にスカート１７前面から１５ｍｍ程度後退した位置に防水テープ５を貼り付ける。スカート１７上部と側板１ｂ下端の隙間が５ｍｍ程度開くように、且つ、スカート１７下端とＦＲＰ防水１９の上面の隙間が５ｍｍ程度開くように、スカート固定部材３に両面テープ１８等で固定する。その後、浴室壁面等に立て掛けておいた防水床１を設置し、側板１ｂ下端とスカート１７上面の隙間、および、スカート１７下端とＦＲＰ防水１９上面にシリコンコーキング８を塗布する。
【００３０】
側板１ｂ下端とスカート１７上面との隙間、および、スカート１７下端とＦＲＰ防水１９上面との隙間に、シリコンコーキング８を塗布しことにより防水床１下への水の浸入を防ぐことができる。また、万が一浴室載置側のシリコンコーキングが切れても、スカート１７上面の防水テープとスカート固定部材３の裏面のシリコンコーキング８により、水の浸入を防ぐことができる。
【図面の簡単な説明】
【００３１】
【図１】本発明の実施例である改装用防水床の洗場部の斜視図。
【図２】本発明の実施例である改装用防水床のスカート部固定材の斜視図。
【図３】本発明の実施例である改装用防水床のスカート部の斜視図。
【図４】本発明の実施例である改装用防水床を浴室に設置した部分断面詳細図。
【図５】本発明改装用防水床の洗い場の側板側に既設排水口接続部に排水口蓋を設置した平面図。
【図６】図５の縦断面図。
【図７】従来例を示す、在来工法で設置された浴室例の平面図。
【図８】図７の縦断面図。
【図９】別の従来例を示す在来工法で改装した浴室例の平面図。
【図１０】図９の縦断面図。
【図１１】本発明の実施例である改装用防水床のスカートを示す斜視図である。
【図１２】本発明の実施例である改装用防水床を浴室に設置した部分断面詳細図である。
【符号の説明】
【００３２】
１：改装用防水床、１ａ：洗い場、１ｂ：側板、１ｃ：脚、１ｄ：既設排水口接続部、１ｅ：排水口、１ｆ：ビス、２：補強板、３：スカート固定部材、３ａ：既設排水口固定部、３ｂ：スカート固定部、３ｃ：ビス、４：スカート、４ａ：既設排水口接続部、５：防水テープ、６：接着剤、７：ビス、８：シリコンコーキング、９：浴槽、１０：風呂釜、１１：スノコ、１２：洗い場床、１３：モルタル、１４：防水層、１５：建築物躯体、１６：既設浴室床面、１７：スカート、１７ａ：スカート既設排水口接続部、１８：両面テープ、１９：ＦＲＰ防水
【図１】
2006312858.tif 000003
【図２】
2006312858.tif 000004
【図３】
2006312858.tif 000005
【図４】
2006312858.tif 000006
【図５】
2006312858.tif 000007
【図６】
2006312858.tif 000008
【図７】
2006312858.tif 000009
【図８】
2006312858.tif 000010
【図９】
2006312858.tif 000011
【図１０】
2006312858.tif 000012
【図１１】
2006312858.tif 000013
【図１２】
2006312858.tif 000014